(57)【要約】【課題】  おがくず及び／又は他のごみが切断線上に溜まり、これによって使用者が所望の切断線を辿って真っ直ぐで正確な切断部を形成できなくなるという問題点を解決する。【解決手段】  丸鋸は、ハウジングから出る空気を加工物に向かって差し向ける一つ又はそれ以上のルーバー（３６）をハウジングに備えている。更に、鋸の作動中に発生するおがくず及び他のごみを経路から吹き払い、使用者の視線と干渉しないように、ルーバーと加工物との間に配置された鋸の他の構成要素に開口部（４６）が設けられる。【選択図】  図１
2007517702.tif 000002
【特許請求の範囲】
【請求項１】
電動式丸鋸であって、
モータハウジング（１０）と、
前記モータハウジングに配置された、出力シャフトを持つモータ（１１）と、
前記出力シャフトによって駆動されて作動する、前方方向に移動されるときに加工物を切断するように位置決めされた丸鋸ブレード（１２）と、
前記モータハウジングに連結されており、加工物と接触するための下面を持つフット構造体（２４）と、
前記フット構造体の下面の上方に配置された前記鋸ブレードの部分をほぼ取り囲む保護ブレードハウジング（１４）と、
前記出力シャフトによって駆動されて作動する、前記モータを冷却するために前記モータを通して空気を吸い込むように前記ハウジングに位置決めされたファンブレード（２０）とを有し、
前記ハウジングは、前記ファンが発生した空気が通過する空気流出口を形成する少なくとも一つの開口部（１８）を有し、この開口部は、前記丸鋸の作動中に切断線から屑を除去するため、空気を前方に放出するように、前記モータハウジングの前側に設けられている、電動式丸鋸。
【請求項２】
請求項１に記載の電動式丸鋸において、
前記ブレードハウジングは、前記モータハウジングに連結されており、前記開口部は前記ブレードハウジングと隣接して配置されている、電動式丸鋸。
【請求項３】
請求項１に記載の電動式丸鋸において、
前記モータハウジングにはギヤボックスが取り付けられており、前記ギヤボックスは前記少なくとも一つの開口部を含む、電動式丸鋸。
【請求項４】
請求項３に記載の電動式丸鋸において、
前記ギヤボックスは、空気案内ベーンによって分離された複数のベントを有する、電動式丸鋸。
【請求項５】
請求項１に記載の電動式丸鋸において、
前記フット構造体に連結されたベベル四分円形状体を持つベベル調節機構を更に含み、
前記ベベル四分円形状体は、前記フット構造体の前側近くに配置されており、前記モータハウジング、前記ブレード、及び前記ブレードハウジングを前記鋸ブレードの平面と実質的に平行な長さ方向軸線に沿って枢動可能にするベベル枢動連結部を含み、
前記四分円形状体には、前記丸鋸の切断線から屑を除去するため、前記モータハウジングから放出された空気を、前記ベベル四分円形状体を通して、切断されるべき加工物上に通すことができるようにする少なくとも一つの開口部が設けられている、電動式丸鋸。
【請求項６】
請求項５に記載の電動式丸鋸において、
前記ベベル四分円形状体は、全体に三角形形体であり、係止機構が配置される弧状スロットを持ち、
前記係止機構は、前記ベベル調節機構を調節して前記フット構造体の前記下面の角度を前記鋸ブレードの面に対して調節するとき、前記スロットに沿って摺動し、
前記四分円形状体は、空気を加工物に向かって通すことができる複数の追加の開口部を有する、電動式丸鋸。
【請求項７】
電動式丸鋸であって、
モータハウジング（１０）と、
前記モータハウジングに配置された、出力シャフトを持つモータ（１１）と、
前記出力シャフトによって駆動されて作動するファンブレード（２０）と、
前記出力シャフトによって駆動されて作動する、丸鋸ブレード（１２）と、
前記モータハウジングに連結されており、加工物と接触するための下面を持つフット構造体（２４）と、
前記フット構造体の下面の上方に配置された前記鋸ブレードの部分をほぼ取り囲む保護ブレードハウジング（１４）と、
前記フット構造体に連結されたベベル四分円形状体（２６）を持つベベル調節機構（４０）とを備え、
前記ベベル四分円形状体は、前記フット構造体の前側近くに配置されており、前記モータハウジング、前記ブレード、及び前記ブレードハウジングを前記鋸ブレードの平面と実質的に平行な長さ方向軸線に沿って枢動可能にするベベル枢動連結部（２８）を含み、
前記モータハウジングは、前記ファンが発生した空気が通過する空気流出口を形成する少なくとも一つの開口部（１８）を有し、
この開口部は、空気を前方に放出するように、前記モータハウジングの前側に設けられており、
前記四分円形状体には、前記丸鋸の切断線から屑を除去するため、前記モータハウジングから放出された空気を、前記ベベル四分円形状体を通して、切断されるべき加工物上に通すことができるようにする少なくとも一つの開口部（４２、４６）が設けられている、電動式丸鋸。
【請求項８】
請求項７に記載の電動式丸鋸において、
前記ブレードハウジングは、前記モータハウジングに連結されており、前記開口部は前記ブレードハウジングと隣接して配置されている、電動式丸鋸。
【請求項９】
請求項７に記載の電動式丸鋸において、
前記モータハウジングにはギヤボックスが取り付けられており、前記ギヤボックスは前記少なくとも一つの開口部を含む、電動式丸鋸。
【請求項１０】
請求項９に記載の電動式丸鋸において、
前記ギヤボックスは空気案内ベーンによって分離された複数のベントを有する、電動式丸鋸。
【請求項１１】
請求項７に記載の電動式丸鋸において、
前記ベベル四分円形状体は、全体に三角形形体であり、係止機構が配置される弧状スロットを持ち、
前記係止機構は、前記ベベル調節機構を調節して前記フット構造体の前記下面の角度を前記鋸ブレードの面に対して調節するとき、前記スロットに沿って摺動し、
前記四分円形状体は、空気を加工物に向かって通すことができる複数の追加の開口部を有する、電動式丸鋸。
【請求項１２】
請求項１１に記載の電動式丸鋸において、
前記ベベル調節機構の枢軸線は、前記鋸ブレードとほぼ同じ平面内に配置されている、電動式丸鋸。
【請求項１３】
電動式丸鋸であって、
モータを備えたモータハウジングと、
ベベル調節機構を備えたフット構造体とを備え、
前記モータは、丸鋸ブレードを駆動するために連結されて作動する出力シャフトを有し、
前記電動式丸鋸は、また、
前記モータハウジングに連結されて作動する、前記フット構造体の上方に延びる前記ブレードの部分を取り囲むブレードハウジングと、
前記出力シャフトによって駆動されて作動する、前記モータを冷却するために前記ハウジングを通して空気を移動するように形成された、前記ハウジング内のファンブレードとを備えており、
前記モータハウジングは、前記ブレードハウジングと隣接して少なくとも一つのベントをその前側に有し、前記ベントは、おがくず及び他のごみを前記丸鋸の前側から除去するため、前記モータハウジングを出る空気を下方に前記フット構造体の前側に向かって差し向けるように形成されている、電動式丸鋸。
【発明の詳細な説明】
【技術分野】
【０００１】
本発明は、概ね、手持ち式電動工具に関し、更に詳細には丸鋸に関する。
【背景技術】
【０００２】
丸鋸等の手持ち式電動工具は、数十年に亘って一般的に周知であり、一般的に、切断される加工物上で摺動するフットプレートと、丸鋸ブレードとを有している。丸鋸ブレードの直径は、数インチ程度の小径から、７インチ（約１７．７８ｃｍ）又はそれ以上の大径となっている。鋸ブレードは、フット部の平面に対してほぼ垂直な開口部を通って延びる。鋸は、代表的には、交流電源又は直流電源のいずれかによって電力が供給される電動モータによって駆動される。直流電源は、多くの場合、バッテリーパック等である。
【０００３】
丸鋸は、一般的には、建物のフレームの形成に使用されるボードを鋸断するため、又は大きな合板又は他の材料シートを切断して小片にするため、建設現場で使用される。これらは全て、手持ち式電動工具の技術分野の当業者に周知である。このような丸鋸は、多くの探究及び開発の対象であり、これらが使用されてきた数十年に亘ってそれらの設計及び構造に目ざましい改良がなされてきた。
【０００４】
重大な開発には、使用者を怪我から保護するためにブレードの上方及び下方の両方に設けられた改良ブレードガードが含まれる。下ブレードガードは、ボード等を切断しようとするときに、切断経路の外に移動するように設計されている。主ハンドル及び副ハンドルを含む使用者ハンドルによりシート又はボードを所望の通路に沿って容易に切断できるように、人間工学的開発が行われてきた。初期の丸鋸は、加工物に対して垂直な切断部を形成するようにしか設計されていなかったが、後にベベル角度を調節できるようにする開発がなされた。
【０００５】
丸鋸の設計における多くの改良がなされてきたが、おがくず（鋸屑）及び／又は他のごみが切断線上に溜まり、これによって、使用者が所望の切断線を辿って真っ直ぐで正確な切断部を形成できなくなるという共通の問題点が存在し続けてきた。丸鋸及び他の手持ち式工具で使用されるモータの改良により、発生する出力の割に小型のモータが得られた。ある材料、特に比較的厚い材料を切断する場合には、モータに大きな負荷が加わるため、作動中にモータの近くに適当な空気の流れを提供し、熱を放散する必要がある。この必要のため、多くのモータは、モータを冷却する目的で、空気をモータ包囲体即ちハウジングから放出するため、モータによって駆動される内部ファンブレードを備えている。空気は、従来技術の丸鋸の多くの様々な位置に位置決めされた開口部を通して放出される。
【発明の開示】
【発明が解決しようとする課題】
【０００６】
丸鋸の設計は、作動中に空気を放出し且つ熱を放散するのに十分であるが、これまで、空気を任意の特定の方向に案内したり、あるいは空気をモータハウジング内部から放出する以外の任意の明らかな目的に対して、何の注意も払ってこなかった。
【課題を解決するための手段】
【０００７】
本発明の好ましい実施例は、加工物を含む特定の位置に向かって空気を差し向ける一つ又はそれ以上のルーバーを丸鋸等の手持ち式工具のハウジングに含み、ルーバーと、鋸がアプローチする加工物の部分との間に配置された工具の他の構成要素に開口部を設け、工具の作動中に発生するおがくず及び他のごみを経路から吹き払い、使用者の視界を妨げないようにする。
【０００８】
好ましい実施例は、ギヤボックスを、モータの出力部と隣接して、モータと鋸ブレードとの間に備えた丸鋸である。ギヤボックスは、方向ルーバーを有する。方向ルーバーは、モータの冷却に使用するために内部ファンブレードが発生した空気を、切断されるべき加工物の部分に向かって差し向ける。好ましい実施例は、更に、丸鋸のフット部の前方に配置されたベベル四分円構造体を含む。この四分円構造体は、その中に一つ又はそれ以上の空気流ベントを有し、方向ルーバーを通して放出された空気を、前記フット部の四分円構造体を通して、鋸ブレードがアプローチする加工物の部分に向かって流すことができ、これによっておがくず及び／又は他のごみを切断線から除去する。
【発明を実施するための最良の形態】
【０００９】
本発明の好ましい実施例を図１乃至図４に示す。この実施例は、モータ１１が配置されたモータハウジング１０と、ブレードハウジング１４によって保護された鋸ブレード１２とを持つ種類の丸鋸に関する。ブレードハウジング１４は、ギヤボックス端キャスティング１６に取り付けられており、このキャスティング１６はハウジング１０に連結されている。この丸鋸には多数のベント開口部１８が設けられている。丸鋸の作動中、これらのベント開口部を通してファン２０から空気が放出される。丸鋸は、更に、前副ハンドル２２並びにこのような丸鋸で代表的な主ハンドル（図示せず）を有する。
【００１０】
丸鋸は、更に、全体に平らなフットアッセンブリ２４を有する。このフットアッセンブリには、好ましくは、四分円構造体２６が一体的に形成されている。四分円構造体２６は、鋸が加工物を調節可能なベベル角度で切断できるように形成されたベベル調節機構の部分である。好ましくは、ベベル角度は、ボルト２８が形成する枢軸線を中心として、モータハウジング１０と、ブレード１２及び１４とを枢動することによって、垂直から、垂直から約５５°まで調節できる。
【００１１】
図１に示す実施例では、ブレードハウジング１４は、ブレード１２の平面とほぼ整合した盛り上がった中央部分３０を有する。ブレード１２による切断で形成されるベベルを角度ゼロに設定した場合に更に正確な切断線を表示するため、フット部２４の前縁にノッチ３２が設けられている。図３に示すように、ファンブレード２０により発生した空気は、ハウジング１０内をほぼ反時計廻り方向に矢印３４で示すように流れ、ルーバー３６が形成するベント開口部１８から出る。長さ及び角度方向が僅かに異なる４枚のルーバー３６が設けられているが、これらのルーバーは全て、ファンブレード２０が発生した空気流を、丸鋸の前方に、ほぼ線３８に沿って切断されるべき加工物の部分に向かって差し向けるように配向されている。
【００１２】
四分円構造体２６は、添付図面に示す実施例では、好ましくは、フット部２４と一体成形されているが、別体に形成してフット部２４に取り付けてもよい。添付図面に示すように、フット部２４は、ボルト２８及びフット部２４の後部に配置された別のボルト（図示せず）の軸線を中心として、鋸ハウジング１０、ブレード１２、及びブレードハウジング１４に対して回転されたときに、調節可能なベベル角度を提供するように、形成されている。
【００１３】
モータハウジング１０に取り付けられたクランプレバー４０は、ボルト２８を中心として一定の半径を持つ弧状のスロット４２内で摺動可能である。クランプレバー４０を図１に示すように反時計廻り方向に回転すると、機構が緩み、フット部をモータハウジング１０に対して回転することにより、ブレード１２を異なるベベル角度に移動することができる。その角度が所望位置にきたとき、クランプレバー４０を時計廻り方向に回転して機構を締め付け、鋸を所望のベベル角度に保持することができる。下ブレードガード持ち上げレバー４４が、ブレードハウジング１４の左側に示されている。このレバーにより、使用者は、丸鋸の作動中に必要な場合には、下ガードを手動で動かすことができる。
【００１４】
モータハウジング１０から開口部１８を通して放出された空気は、前方に差し向けられる。四分円構造体２６には、ベントとして機能し且つ空気を四分円構造体２６を通して加工物上に切断線に沿って比較的妨げなく通過させることができるスロット４２並びに開口部４６が設けられている。これにより、空気流を通過させることができる四分円構造体が設けられていない場合には溜まってしまうおがくずを吹き払うことができる。
【００１５】
この空気流により、使用者は、何らかの材料を切断することによって発生した鋸屑即ちおが屑の堆積物を切断線上で切ることがほとんどない。こうした堆積物は、多くの場合、切断作業の中断を必要とする。
【００１６】
本発明の様々な実施例を図示し且つ説明したが、この他の変形、交換、及び変更は当業者には明らかであるということは理解されるべきである。このような変形、交換、及び変更は、特許請求の範囲に定義した本発明の精神及び範囲から逸脱することなく行うことができる。
【図面の簡単な説明】
【００１７】
【図１】図１は、本発明の好ましい実施例を示す、丸鋸を前方から見た概略斜視図であり、特に、鋸のギヤボックス内の方向ルーバー、並びに、複数の空気流ベントを持つベベル四分円構造体を示しており、複数の空気流ベントを介して、丸鋸の内部ファンが発生した空気流を通し、鋸の切断線から、おがくずや他のごみ等を除去することができる。
【図２】図２は、図１と同様であるが更に高い場所から見た、別の前方から見た概略斜視図である。
【図３】図３は、内部にあるルーバーの形体及び図１に示す丸鋸の内部ファンブレードが発生した流れの方向を示す、ギヤボックス端キャスティングの一部の内側の平面図である。
【図４】図４は、ギヤボックスのルーバーを通して放出される空気流を発生する、鋸モータ及び内部ファンブレードの一部を示す斜視図である。
【符号の説明】
【００１８】
１０  モータハウジング
１１  モータ
１２  鋸ブレード
１４  ブレードハウジング
１６  ギヤボックス端キャスティング
１８  ベント開口部
２０  ファン
２２  前副ハンドル
２４  フットアッセンブリ
２６  四分円構造体
２８  ボルト
３０  中央部分
３２  ノッチ
３６  ルーバー
３８  切断線
４０  レバー
４２  円弧状スロット
４４  下ブレードガード持ち上げレバー
４６  開口部
【図１】
2007517702.tif 000003
【図２】
2007517702.tif 000004
【図３】
2007517702.tif 000005
【図４】
2007517702.tif 000006
【国際調査報告】
2007517702.tif 000007
2007517702.tif 000008
2007517702.tif 000009